【手続補正書】
【提出日】平成30年2月26日(2018.2.26)
【手続補正１】
【補正対象書類名】明細書
【補正対象項目名】０００９
【補正方法】変更
【補正の内容】
【０００９】
上記の目的を達成するため、本発明による電子機器は、熱源を備え、録音機能を有する電子機器であって、吸気口と排気口とを備え、前記熱源と熱的に接続されたダクト部と、前記熱源の温度を検知する温度検知手段と、前記ダクト部の空気を前記吸気口から前記排気口の方向に送風する第１の送風手段と、前記電子機器の内部の空気を循環させる第２の送風手段と、録音動作と、前記温度検知手段で検知された温度とに応じて前記第１の送風手段および前記第２の送風手段を制御する制御手段と、を有することを特徴とする。
【手続補正２】
【補正対象書類名】明細書
【補正対象項目名】００１０
【補正方法】変更
【補正の内容】
【００１０】
本発明による制御方法は、熱源と、吸気口と排気口とを備え、前記熱源と熱的に接続されたダクト部と、前記ダクト部の空気を前記吸気口から前記排気口の方向に送風する第１の送風手段と、前記電子機器の内部の空気を循環させる第２の送風手段と、を備え、録音機能を有する電子機器の制御方法であって、前記熱源の温度を検知する温度検知ステップと、録音動作と、前記温度検知ステップで検知された温度とに応じて前記第１の送風手段および前記第２の送風手段を制御する制御ステップと、を有することを特徴とする。
【手続補正３】
【補正対象書類名】明細書
【補正対象項目名】００１１
【補正方法】変更
【補正の内容】
【００１１】
本発明による制御プログラムは、熱源と、吸気口と排気口とを備え、前記熱源と熱的に接続されたダクト部と、前記ダクト部の空気を前記吸気口から前記排気口の方向に送風する第１の送風手段と、前記電子機器の内部の空気を循環させる第２の送風手段と、を備え、録音機能を有する電子機器で用いられる制御方プログラムであって、前記電子機器が備えるコンピュータに、前記熱源の温度を検知する温度検知ステップと、録音動作と、前記温度検知ステップで検知された温度とに応じて前記第１の送風手段および前記第２の送風手段を制御する制御ステップと、を実行させることを特徴とする。
【手続補正４】
【補正対象書類名】特許請求の範囲
【補正対象項目名】全文
【補正方法】変更
【補正の内容】
【特許請求の範囲】
【請求項１】
熱源を備え、録音機能を有する電子機器であって、
吸気口と排気口とを備え、前記熱源と熱的に接続されたダクト部と、
前記熱源の温度を検知する温度検知手段と、
前記ダクト部の空気を前記吸気口から前記排気口の方向に送風する第１の送風手段と、
前記電子機器の内部の空気を循環させる第２の送風手段と、
録音動作と、前記温度検知手段で検知された温度とに応じて前記第１の送風手段および前記第２の送風手段を制御する制御手段と、
を有することを特徴とする電子機器。
【請求項２】
前記制御手段は、前記録音動作が行われており、前記温度検知手段で検知された温度が所定温度以下である場合に、前記第１の送風手段を停止して前記第２の送風手段を駆動するように制御することを特徴とする請求項１に記載の電子機器。
【請求項３】
前記制御手段は、電源がオンされた場合に前記第１の送風手段を駆動し、前記録音動作が開始された場合に、前記第１の送風手段を停止して前記第２の送風手段を駆動するように制御することを特徴とする請求項１又は２に記載の電子機器。
【請求項４】
前記制御手段は、前記第１の送風手段を停止して前記第２の送風手段を駆動した後、前記温度検知手段により検知された温度が前記所定温度を超えた場合に、前記第１の送風手段を駆動して前記第２の送風手段を停止するように制御することを特徴とする請求項１乃至３のいずれか１項に記載の電子機器。
【請求項５】
熱源を備え、録音機能を有する電子機器であって、
吸気口と排気口とを備え、前記熱源と熱的に接続されたダクト部と、
前記熱源の温度を検知する第１の温度検知手段と、
他の熱源の温度を検知する第２の温度検知手段と、
前記ダクト部の空気を前記吸気口から前記排気口の方向に送風する第１の送風手段と、
前記電子機器の内部の空気を循環させる第２の送風手段と、
録音動作と、前記第１の温度検知手段および前記第２の温度検知手段により検知された温度とに応じて、前記第１の送風手段および前記第２の送風手段による送風量を制御する制御手段と、
を有することを特徴とする電子機器。
【請求項６】
前記制御手段は、電源がオンされた場合に、前記第１の送風手段を駆動し、前記録音動作が開始された場合に、前記第１の送風手段を停止して前記第２の送風手段を駆動するように制御することを特徴とする請求項５に記載の電子機器。
【請求項７】
前記他の熱源は、電源を含むことを特徴とする請求項５又は６に記載の電子機器。
【請求項８】
前記電子機器は、被写体を撮像して記録する撮像装置を含むことを特徴とする請求項１乃至７のいずれか１項に記載の電子機器。
【請求項９】
熱源と、吸気口と排気口とを備え、前記熱源と熱的に接続されたダクト部と、前記ダクト部の空気を前記吸気口から前記排気口の方向に送風する第１の送風手段と、前記電子機器の内部の空気を循環させる第２の送風手段と、を備え、録音機能を有する電子機器の制御方法であって、
前記熱源の温度を検知する温度検知ステップと、
録音動作と、前記温度検知ステップで検知された温度とに応じて前記第１の送風手段および前記第２の送風手段を制御する制御ステップと、
を有することを特徴とする制御方法。
【請求項１０】
熱源と、吸気口と排気口とを備え、前記熱源と熱的に接続されたダクト部と、前記ダクト部の空気を前記吸気口から前記排気口の方向に送風する第１の送風手段と、前記電子機器の内部の空気を循環させる第２の送風手段と、を備え、録音機能を有する電子機器の制御方法であって、
前記熱源の温度を検知する第１の温度検知ステップと、
他の熱源の温度を検知する第２の温度検知ステップと、
録音動作と、前記第１の温度検知ステップおよび前記第２の温度検知ステップで検知された温度とに応じて、前記第１の送風手段および前記第２の送風手段による送風量を制御する制御ステップと、
を有することを特徴とする制御方法。
【請求項１１】
熱源と、吸気口と排気口とを備え、前記熱源と熱的に接続されたダクト部と、前記ダクト部の空気を前記吸気口から前記排気口の方向に送風する第１の送風手段と、前記電子機器の内部の空気を循環させる第２の送風手段と、を備え、録音機能を有する電子機器で用いられる制御方プログラムであって、
前記電子機器が備えるコンピュータに、
前記熱源の温度を検知する温度検知ステップと、
録音動作と、前記温度検知ステップで検知された温度とに応じて前記第１の送風手段および前記第２の送風手段を制御する制御ステップと、
を実行させることを特徴とする制御プログラム。
【請求項１２】
熱源と、吸気口と排気口とを備え、前記熱源と熱的に接続されたダクト部と、前記ダクト部の空気を前記吸気口から前記排気口の方向に送風する第１の送風手段と、前記電子機器の内部の空気を循環させる第２の送風手段と、を備え、録音機能を有する電子機器で用いられる制御プログラムあって、
前記電子機器が備えるコンピュータに、
前記熱源の温度を検知する第１の温度検知ステップと、
他の熱源の温度を検知する第２の温度検知ステップと、
録音動作と、前記第１の温度検知ステップおよび前記第２の温度検知ステップで検知された温度とに応じて、前記第１の送風手段および前記第２の送風手段による送風量を制御する制御ステップと、
を実行させることを特徴とする制御プログラム。